【手続補正書】
【提出日】平成21年1月20日(2009.1.20)
【手続補正１】
【補正対象書類名】特許請求の範囲
【補正対象項目名】全文
【補正方法】変更
【補正の内容】
【特許請求の範囲】
【請求項１】
他の閃光装置への発光指示を光通信で行う閃光装置であって、
発光することで前記他の閃光装置に対して光通信を行う発光手段と、
被写体距離および装着されたカメラの撮影感度の少なくとも一方に基づいて、光通信を行う際の前記発光手段の発光量を制御する発光制御手段とを有することを特徴とする閃光装置。
【請求項２】
前記発光制御手段は、前記撮影感度があらかじめ定められた感度よりも高い場合、または、前記被写体距離があらかじめ定められた被写体距離よりも近い場合、前記撮影感度および前記被写体距離がいずれの条件も満たさない場合よりも光通信を行う際の前記発光手段の発光量を下げることを特徴とする請求項１に記載の閃光装置。
【請求項３】
前記発光制御手段は、前記撮影感度が高いほど、または、前記被写体距離が近いほど、光通信を行う際の前記発光手段の発光量を下げることを特徴とする請求項１に記載の閃光装置。
【請求項４】
前記発光手段が光通信のための発光と被写体を照射するための発光の両方を行う第１のモードと、前記発光手段が光通信のための発光のみを行う第２のモードのいずれかを設定可能であり、前記第２のモードに設定されたときは、前記発光制御手段により光通信を行う際の前記発光手段の前記発光量を制御することを特徴とする請求項１ないし３のいずれか１項に記載の閃光装置。
【請求項５】
前記発光制御手段は、前記発光手段を被写体を照射するために発光させない場合に、光通信を行う際の前記発光手段の発光量を制御することを特徴とする請求項１ないし３のいずれか１項に記載の閃光装置。
【請求項６】
閃光装置への発光指示を光通信で行うカメラであって、
発光することで前記閃光装置に対して光通信を行う発光手段と、
被写体距離および前記カメラの撮影感度の少なくとも一方に基づいて、光通信を行う際の前記発光手段の発光量を制御する発光制御手段とを有することを特徴とするカメラ。
【請求項７】
カメラと閃光装置とを有し、前記カメラから前記閃光装置への発光指示を光通信で行う閃光撮影システムであって、
発光することで前記閃光装置に対して光通信を行う発光手段と、
被写体距離および前記カメラの撮影感度の少なくとも一方に基づいて、光通信を行う際の前記発光手段の発光量を制御する発光制御手段とを有することを特徴とする閃光撮影システム。
【手続補正２】
【補正対象書類名】明細書
【補正対象項目名】発明の名称
【補正方法】変更
【補正の内容】
【発明の名称】閃光装置、カメラおよび閃光撮影システム
【手続補正３】
【補正対象書類名】明細書
【補正対象項目名】０００１
【補正方法】変更
【補正の内容】
【０００１】
本発明は、他の閃光装置への発光指示を光通信で行う閃光装置、カメラおよび閃光撮影システムに関するものである。
【手続補正４】
【補正対象書類名】明細書
【補正対象項目名】０００５
【補正方法】変更
【補正の内容】
【０００５】
（発明の目的）
本発明の目的は、露出オーバーを防ぎ、適正露光の画像を与えることができる閃光装置、カメラおよび閃光撮影システムを提供しようとするものである。
【手続補正５】
【補正対象書類名】明細書
【補正対象項目名】０００６
【補正方法】変更
【補正の内容】
【０００６】
上記目的を達成するために、本発明の閃光装置は、他の閃光装置への発光指示を光通信で行う閃光装置であって、発光することで前記他の閃光装置に対して光通信を行う発光手段と、被写体距離および装着されたカメラの撮影感度の少なくとも一方に基づいて、光通信を行う際の前記発光手段の発光量を制御する発光制御手段とを有することを特徴とする。  
【手続補正６】
【補正対象書類名】明細書
【補正対象項目名】０００７
【補正方法】変更
【補正の内容】
【０００７】
同じく上記目的を達成するために、本発明のカメラは、閃光装置への発光指示を光通信行うカメラであって、発光することで前記閃光装置に対して光通信を行う発光手段と、被写体距離および前記カメラの撮影感度の少なくとも一方に基づいて、光通信を行う際の前発光手段の発光量を制御する発光制御手段とを有することを特徴とする。
【手続補正７】
【補正対象書類名】明細書
【補正対象項目名】０００８
【補正方法】変更
【補正の内容】
【０００８】
同じく上記目的を達成するために、本発明の閃光撮影システムは、カメラと閃光装置とを有し、前記カメラから前記閃光装置への発光指示を光通信で行う閃光撮影システムであって、発光することで前記閃光装置に対して光通信を行う発光手段と、被写体距離および前記カメラの撮影感度の少なくとも一方に基づいて、光通信を行う際の前記発光手段の発光量を制御する発光制御手段とを有することを特徴とする。
【手続補正８】
【補正対象書類名】明細書
【補正対象項目名】０００９
【補正方法】変更
【補正の内容】
【０００９】
本発明によれば、露出オーバーを防ぎ、適正露光の画像を与えることができる。
【手続補正９】
【補正対象書類名】明細書
【補正対象項目名】００１４
【補正方法】変更
【補正の内容】
【００１４】
１１５は定電圧回路であり、電池１０１から一定電圧（ＶＣＣ）を供給するものであり、送信機マイコン１０９に電源を供給する。１１６はコンパレータであり、その出力は後述のＡＮＤゲート１１７に接続されている。１１７はＡＮＤゲートであり、コンパレータ１１６の出力と接続された以外の入力は送信機マイコン１０９の端子ＳＴＳＰに接続され、その出力は発光制御回路１０６と送信機マイコン１０９の端子ＦＣＩＮに接続されている。１２０はカメラとのインターフェース用端子群であり、送信機マイコン１０９の端子Ｓ０〜Ｓ５に接続されている。また、後述のカメラマイコン３の端子群１２にも接続される。
【手続補正１０】
【補正対象書類名】明細書
【補正対象項目名】００２０
【補正方法】変更
【補正の内容】
【００２０】
８は公知の測距回路であり、例えば、カメラ側から光を投光してその被写体からの反射光を受光して距離情報を得るアクティブ方式である。もしくは、画面に対応したラインセンサと駆動回路から構成されるパッシブ方式の焦点検出回路であってもよい。詳しくは、駆動回路によりラインセンサの蓄積制御が行われ、カメラマイコン３が各ラインセンサの像信号を受け取り、被写体がどの位置に焦点を結んでいるかを既存の位相差検出方式で演算することで検出するものである。
【手続補正１１】
【補正対象書類名】明細書
【補正対象項目名】００２７
【補正方法】変更
【補正の内容】
【００２７】
図３において、２０１は電源であるところの電池である。２０２は受信機側のマイクロコンピュータ（以下、受信機マイコンと）２０９からの信号ＣＨＧにより電池２０１の電圧を昇圧を開始する昇圧回路、２０３は昇圧回路２０２の出力を蓄える主コンデンサである。２０４は放電管２０５を励起させて発光させるトリガ回路であり、受信機マイコン２０９の出力端子ＴＲＩＧに接続されている。２０５は主コンデンサ２０３の電気エネルギーを光に変換する放電管、２０６は放電管２０５の発光を制御する発光制御回路である。
【手続補正１２】
【補正対象書類名】明細書
【補正対象項目名】００７９
【補正方法】変更
【補正の内容】
【００７９】
次に、図３のスレーブ閃光装置である受信機側での動作、つまり受信機マイコン２０９の具体的な動作について、図１０及び図１１のフローチャートを用いて説明する。